(57)【要約】【課題】  パチンコ機を輸送や保管する際にこれを集合して固定する固定装置において、操作が容易で少部材の低コストのものにする。【解決手段】  パチンコ機の輸送、保管時における固定装置であり、パチンコ機を縦列に並べるとともに、その両肩に断面がＬ字形をした長尺のアングル材をあてがい、アングル材同士を巻締機で締めてパチンコ機を集合状態で固定することを特徴とするパチンコ機の輸送、保管時における固定装置。【選択図】  図１
2008104636.tif 000002
【特許請求の範囲】
【請求項１】
パチンコ機の輸送、保管時における固定装置であり、パチンコ機を縦列に並べるとともに、その両肩に断面がＬ字形をした長尺のアングル材をあてがい、アングル材同士を巻締機で締めてパチンコ機を集合状態で固定することを特徴とするパチンコ機の輸送、保管時における固定装置。
【請求項２】
アングル材をパチンコ機の片肩にあてがったものを複列に並べ、隣り合うアングル材を巻締機で締めて固定する請求項１のパチンコ機の輸送、保管時における固定装置。
【請求項３】
パチンコ機が、主枠の前面と裏面に主枠より小サイズの前扉と裏面カバーが設けられるものであり、アングル材が主枠１の肩にあてがわれる請求項１又は２のパチンコ機の輸送、保管時における固定装置。
【請求項４】
パチンコ機を縦列又は縦列と複列に並べて巻締機で締めたものを上下に段にして重ねた請求項１〜３いずれかのパチンコ機の輸送、保管時における固定装置。
【請求項５】
一番端の列のパチンコ機の外側のアングル材を固定部材とした請求項１〜４いずれかのパチンコ機の輸送、保管時における固定装置。
【請求項６】
パチンコ機の側面にあてがわれるアングル材の面に弾性材を貼着した請求項１〜５いずれかパチンコ機の輸送、保管時における固定装置。
【請求項７】
パチンコ機が縦置き又は横置きにされるものである請求項１〜６いずれかのパチンコ機の輸送、保管時における固定装置。
【請求項８】
請求項１〜７いずれかのパチンコ機の輸送、保管時における固定装置に用いられる巻締機であり、この巻締機が、隣り合うアングル材に係止されて互いに摺動可能な主尺及び従尺と、従尺に一端が係止されて他端が主尺側に延びるベルトと、主尺に固定されてベルトの他端を巻き掛け、一端の引出しは特定の解除操作をしない限り規制され、レバーの回動操作でベルトの一端を引き寄せるラチェット機構とからなるものであることを特徴とするパチンコ機の輸送、保管時における固定装置に用いられる巻締機。
【請求項９】
縦列に並べられたパチンコ機の主枠と主枠の間に用いられる請求項８のパチンコ機の輸送、保管時における固定装置に用いられる巻締機。
【発明の詳細な説明】
【技術分野】
【０００１】
本発明は、パチンコ機を輸送や保管する際に、各パチンコ機を集合させた状態でその形態に固定する固定装置及びこの固定装置に用いられる巻締機に関するものである。
【背景技術】
【０００２】
パチンコ機を輸送、保管する際には、トラック（鉄道や船舶もある）の荷台や保管場所のスペース等を考慮して効率のよい集合状態にする必要がある。加えて、揺れ等で動いたり、倒れたりしてはならず、さらに、互いがぶつかり合ったりして傷付けてもならない。このため、下記特許文献１には、複数のパチンコ機を縦列に並べ、隣り合うもの同士の外枠をカスガイのような連結杆で止めたり、各々の外枠に桟木を渡し、これをねじ止めしたりしているものが示されている。
【０００３】
これによると、連結杆や桟木を多数用意しておく必要がある上に外枠にこれが入る孔やねじ孔を穿っておかなければならず、資材や手間を必要としてコストが高くつく。特に、ねじ止めの場合、その取外しに多くの時間と手間を要し、コストの一層の上昇を招く。
【０００４】
このため、下記特許文献２のように桟木を釘で打って止めたりしているが、釘打ちと釘抜きに多くの時間と手間をとるのは同じである。また、釘打ちに失敗すると、パチンコ機を破損させることになるし、住宅密集地等の深夜の作業では騒音等の問題も起こる。さらに、桟木は原則として再使用できないから、その処理や木材の消費によって環境問題も引き起こす。この他、最近のパチンコ機では、外枠に金属や樹脂を用いているものもあり、このようなものでは釘を打つわけには行かない。
【特許文献１】特開２００１−３４０５８６号公報
【特許文献２】特開２００３−３２５９００号公報
【発明の開示】
【発明が解決しようとする課題】
【０００５】
本発明は、パチンコ機の固定において、固定が強固であり、操作に時間や手間を極力とらず、しかも、部材が繰返し使用ができるようにして低コストの固定を可能にしたものである。
【課題を解決するための手段】
【０００６】
以上の課題の下、本発明は、請求項１に記載した、パチンコ機の輸送、保管時における固定装置であり、パチンコ機を縦列に並べるとともに、その両肩に断面がＬ字形をした長尺のアングル材をあてがい、アングル材同士を巻締機で締めてパチンコ機を集合状態で固定することを特徴とするパチンコ機の輸送、保管時における固定装置を提供するとともに、これにおいて、請求項２に記載した、アングル材をパチンコ機の片肩にあてがったものを複列に並べ、隣り合うアングル材を巻締機で締めて固定する手段を提供する。
【０００７】
また、本発明は、以上の固定装置において、請求項３に記載した、パチンコ機が、主枠の前面と裏面に主枠より小サイズの前扉と裏面カバーが設けられるものであり、アングル材が主枠の肩にあてがわれる手段、請求項４に記載した、パチンコ機を縦列又は縦列と複列に並べて巻締機で締めたものを上下に段にして重ねた手段、請求項５に記載した、一番端の列のパチンコ機の外側のアングル材をトラックの荷台等に設けられる固定部材に代えた手段、請求項６に記載した、パチンコ機の側面にあてがわれるアングル材の面に弾性材を貼着した手段、請求項７に記載した、パチンコ機が縦置き又は横置きにされるものである手段を提供する。
【０００８】
さらに、本発明は、以上の固定装置に用いられる巻締機として、請求項８に記載した、巻締機が、隣り合うアングル材に係止されて互いに摺動可能な主尺及び従尺と、従尺に一端が固定されて他端が主尺側に延びるベルトと、主尺に固定されてベルトの他端を巻き掛け、一端の引出しは特定の解除操作をしない限り規制され、レバーの回動操作でベルトの一端を引き寄せるラチェット機構とからなるものであることを特徴とする巻締機と、この巻締機が、請求項９に記載した、縦列に並べられたパチンコ機の主枠と主枠との間に用いられる手段を提供する。
【発明の効果】
【０００９】
本発明の固定装置によると、固定するときには、パチンコ機を縦列に並べてその肩に長尺のアングル材をあてがい、隣り合うアングル材同士を巻締機で締めればよい。一方、固定を解くときには、巻締機を緩めてアングル材を外せばよい。したがって、いずれの操作とも、簡単で短時間にでき、コストが安い。また、巻締機によると、求められる機能を簡単な操作で達成できるものになる。さらに、アングル材や巻締機は繰り返しての使用が可能であるから、省資源的である。
【発明を実施するための最良の形態】
【００１０】
以下、本発明の実施の形態を図面を参照して説明する。図４はパチンコ機の正面図、図５は側面図であるが、パチンコ機Ａそのものは周知の構造、形状をしているものである。このため、ここでは詳説を省略するが、要するに、長方形をした主枠１の前面側には遊戯盤、球受皿、操作ノブといった前面側部材２を収容する前扉３が設けられ、裏面側には基板等の裏面側部材４を取り付けた裏面カバー５が設けられているものである。これにおいて、前扉３や裏面カバー５の縦横は、主枠１よりも小さいサイズに設定されている。このようなパチンコ機Ａは、輸送や保管時には何台かを集合させ、その状態に固定する必要がある。
【００１１】
これを可能にするのが本発明の固定装置であるが、この固定装置は、断面がＬ字形をしたアングル材６と、アングル材６同士を引っ張り合う巻締機７とで構成される。アングル材６は、アルミの型材や鋼の引抜きが用いられ、重量を軽減するために適当間隔に孔が形成されたものもある。アングル材６は、パチンコ機Ａの主枠１の肩の部分にあてがわれるもので、これに備えてパチンコ機Ａを列を揃えて縦列に並べる。このとき、前後面を同じにして極力隙間なく並べるが、隣り合うものの前扉３と裏面カバー５とがぶつかるのを防ぐために、間に適当にスペーサ（図示省略）を介在させることもある。
【００１２】
本例では、アングル材６を主枠１の片方の肩（上方の一方のコーナー）の上面と側面の角にあてがっており、この場合、主枠１はもっともサイズが大きいから、アングル材６は前扉３や裏面カバー５に干渉することなく、肩を押さえることになる。なお、縦列におけるパチンコ機Ａの数は、トラックの荷台や保管場所の大きさによって選択され、このときのアングル材６は、パチンコ機Ａの縦列の長さに沿う長さのものが好ましいが、適当に継ぎ足すものであってもよい。
【００１３】
加えて、本例では、アングル材６があてがわれたパチンコ機Ａの縦列を更に複列に並べる。図３はこの状態を示す斜視図であるが、この複列の数も、輸送スペースや保管スペースの大きさに応じて決められ、このような状態にしたときには、縦列の間にアングル材６が仕切りのような状態で存在することになる。以上の状態で集合したパチンコ機Ａは、各アングル材６が巻締機７で引っ張られてその状態に固定される。
【００１４】
次に、この巻締機７について説明すると、図１は巻締機の一部断面側面図、図２は平面図であるが、この巻締機７は、摺動可能に重ね合わされる主尺８及び従尺９と、従尺９に一端が固定されて他端が主尺８側に延びるベルト１０と、主尺８の他端側に固定されてベルト１０の他端を巻き掛けるラチェット機構１１とからなる。この場合のラチェット機構１１は、主尺８の他端側に固定されるベース１２に中心軸１３を取り付けるとともに、中心軸１３にレバー１４を回転可能に取り付ける。また、中心軸１３にはベルト１０を巻き掛けるドラム１５を回転可能に取り付け、ドラム１５には爪車１６を取り付ける。
【００１５】
そして、レバー１４には爪車１６に向かって進退する第一係止バー１７をスプリング１８で進出勝手に取り付け、ベース１２にも爪車１６に向かって進退する第二係止バー１９をスプリング２０で進出勝手に取り付ける。この場合の爪車１６は、反時計方向の先端に起立面が形成され、その上端から時計方向に向かって漸低した傾斜面が形成されるもので、第一及び第二係止バー１７、１９が進出しているときにはドラム１５及び爪車１８は反時計方向（ベルト１０の巻出し方向）は回転できないものになっている。
【００１６】
以上により、レバー１４を時計方向に回転させると、第一係止バー１７は爪車１６の起立面に作用してこれを時計方向に回転させ、このとき、第二係止バー１９は傾斜面を滑ってこの回転を許容するものになる。一方、レバー１４を反時計方向に回転させるときには、第一係止バー１７は爪車１６の傾斜面を滑るが、第二係止バー１９は起立面を規制してドラム１５及び爪車１６は回転しない。これにより、レバー１４を時計方向に回動させるたびにドラム１５は時計方向に回転し、ベルト１０を巻き取ることになる。なお、ベルト１０がドラム１５に巻き取られると、その一端が固着されている従尺９が主尺８側に摺動させられ、従尺９の一端と主尺８の他端との距離は短くなる。
【００１７】
また、第一係止レバー１７を爪車１６の起立面から後退させると、レバー１４は単独で時計及び反時計方向に回転できるものとなるが、時計方向にある角度回転させると、ベース１２の該当個所に形成された溝１２ａに入り込んでこの角度で後退状態に保持されるようになっている（図１のａ）。このとき、第二係止バー１９に作用するレバー１４の基部１４ａは径大に形成されており、これによって第二係止バー１９も後退させられてその状態に保持される。したがって、この状態にしたときには、ドラム１５は自由に回転し、ベルト１０の引出し及び巻取りが自由になる。
【００１８】
この他、ベース１２にはアングル材６に係止できる基端フック２１とベルト１０を押さえて案内するベルト押え２２が長手方向に位置調整可能に設けられており、従尺９の先端にもアングル材６に係止できる先端フック２３が設けられている。さらに、主尺８と従尺９の先端にはそれぞれ相手方とベルト１０を案内するリング状の第一及び第二ガイド２４、２５が設けられている。
【００１９】
ところで、集合状態のパチンコ機Ａの固定が特に要求されるのは、振動が加わるトラックの荷台等に積載して輸送するときである。そこで、これについて説明すると、まず、トラックの荷台等の内側側面に手摺りのような固定部材２６を設けておく。そして、これに接近してパチンコ機Ａを縦列に並べ、主枠１の中央寄り（反固定部材２６側）の肩にアングル材６をあてがう。これが終了すると、巻締機７の従尺９の先端フック２３を固定部材２６に係止するとともに、主尺８の基端フック２２をアングル材６に係止し、レバー１４を繰り返し回動させて所定の固定状態になるまでベルト１０を締める（図１のｂ）。なお、アングル材６に孔があいているものでは、基端フック２２及び先端フック２３ともにその孔に係止してもよい。
【００２０】
この状態になると、ベルト１０は上記ラチェット機構１１によって緩むことはなく、固定状態が維持される。このことを確実にするため、巻締機７は適当間隔で使用されるが、主枠１の間にセットするのが操作がし易い。さらに、アングル材６は主枠１の上方の角にあてがうとしたが、下方の角にもあてがって上下両方を巻締機７で締めてもよく、この場合は固定が一層強固になる（この場合は、後述するように巻締機７を主枠１の側方投影面内に収めて使用する。なお、パチンコ機Ａの縦横サイズは規格化されているが、横幅についてはメーカー等によって１〜３ｍｍ程度の誤差がある。この場合でも、アングル材６の通りは揃わなければならないから、アングル材６の接触面にこの誤差を吸収できる弾性材２７を貼着しておくのが好ましい。
【００２１】
以上によって一つの縦列の固定が終了すると、その中央側に更に別の縦列を形成し、その肩にアングル材６をあてがうとともに、このアングル材６と端側のアングル材６とを巻締機７で締めて固定する。このような展開を収納スペース全域に行うと、パチンコ機Ａを集合した状態で固定できる。なお、パチンコ機Ａの裾部分については、ゴム等を回して固定部材２６側に引っ張っておけば、固定がより強化される。
【００２２】
ところで、この縦列又は縦列と複列に展開して固定したパチンコ機Ａ群を上方に段にして積み重ねることもできる。この場合、巻締機７は主枠１の間に用いられるのが通常であるから、そのレバー１４等も上方のものには干渉しない。なお、巻締機７はアングル材６の下側にレバー１４等を下側に向けてセットしてもよく、その場合は、レバー１４等が主枠１の側方投影面内に隠れる。この方法によると、レバー１４等が上方の主枠１に干渉するような位置にある場合でも、支障なく段に積み重ねることができる。この他、パチンコ機Ａは縦置きにされる場合もあれば、横置きにされる場合もあり、そのどちらであっても、以上の方法によって固定できる。
【００２３】
この他、パチンコ機Ａを一列で固定する場合、その両肩にアングル材６を向き合わせてあてがい、両方のアングル材６を巻締機７で締めて固定することもある（この場合、巻締機７で上下両方の角を締めるのが好ましい）。これによると、両アングル材６でパチンコ機Ａを強く締め付けることができ、複数機が縦列になったパチンコ機Ａを一個の剛体のように強く固定することができる。さらに、パチンコ機Ａの裾の両側にアングル材６をあてがって巻締機７で締めると、この固定が一層強固になる。
【図面の簡単な説明】
【００２４】
【図１】巻締機でアングル材を締めた状態の一部断面側面図である。
【図２】巻締機でアングル材を締めた状態の平面図である。
【図３】パチンコ機を縦列に並べたものを複列にしてアングル材をあてがった状態の斜視図である。
【図４】パチンコ機の正面図である。
【図５】パチンコ機の側面図である。
【符号の説明】
【００２５】
Ａ    パチンコ機
１    主枠
２    前面側部材
３    前扉
４    裏面側部材
５    裏面カバー
６    アングル材
７    巻締機
８    主尺
９    従尺
１０  ベルト
１１  ラチェット機構
１２  ベース
１２ａ  溝
１３  中心軸
１４  レバー
１４ａ  基部
１５  ドラム
１６  爪車
１７  第一係止バー
１８  スプリング
１９  第二係止バー
２０  スプリング
２１  基端フック
２２  ベルト押え
２３  先端フック
２４  第一ガイド
２５  第二ガイド
２６  固定部材
２７  弾性材
【図１】
2008104636.tif 000003
【図２】
2008104636.tif 000004
【図３】
2008104636.tif 000005
【図４】
2008104636.tif 000006
【図５】
2008104636.tif 000007